【事件の表示】
　平成　９年特許願第１０８２００号「パチンコ遊技機」拒絶査定不服審判事件〔平成１０年１０月２０日出願公開、特開平１０−２７７２２４〕について、次のとおり審決する。
【結　論】
　本件審判の請求は、成り立たない。
【理　由】
【１】手続の経緯
　本願は平成９年４月９日の出願であって、平成１３年５月１４日付けで拒絶査定がなされ、これに対し、平成１３年６月２０日に拒絶査定に対する審判請求がなされるとともに、平成１３年７月１８日付けで手続補正がなされたものである。
　　　　　
　　　　　
【２】平成１３年７月１８日付けの手続補正についての補正の却下の決定
［補正の却下の決定の結論］
　平成１３年７月１８日付けの手続補正を却下する。
　　　　　
［理由］
〔１〕補正後の本願発明
　本件補正は、請求項１を次のとおりに補正することを含むものである。
　「【請求項１】表示装置、該表示装置を制御する制御装置並びに該表示装置及び該制御装置を収容する表示ユニットカバーを具備する表示ユニットを備えたパチンコ遊技機であって、
　前記表示ユニットカバーは、
　前記表示装置の表示部以外の前部を覆う正面カバーと、
　前記表示装置及び制御装置の側面及び背面を覆うとともに、透明素材から形成された背面カバーとから構成され、
　前記正面カバーと背面カバーとは、前記表示装置及び制御装置を収容した状態で一体化されて前記表示ユニットを構成し、
　前記正面カバーには、前記表示装置の表示部に対応して窓部が形成されるとともに、その窓部には透明アクリル板が配置されていることを特徴とするパチンコ遊技機。」（以下、「補正発明」という。）
　上記補正は、特許請求の範囲の減縮を目的とするものであるから、上記補正発明が、その特許出願の際に独立して特許を受けることができるものであるか否かについて、以下に検討する。
　　　　　
　　　　　
〔２〕引用刊行物とそれに記載の事項
　原審における平成１２年９月５日付けの拒絶理由通知書で引用し、本願出願前に日本国内において頒布された刊行物である特開平８−２６６７１１号公報（以下、「刊行物」という。）には、弾球遊技機に関して、以下の事項が図面とともに記載されている。
（１）「一方、図２を参照して弾球遊技機１の裏面構造について簡単に説明すると、周知のように、弾球遊技機１の裏面には、・・・機構板１５が開閉自在に設けられるが、その機構板１５のほぼ中央には、貫通窓１６が形成され、その貫通窓１６に遊技盤６に設けられる可変表示装置７（画像表示装置）の後方突出部が貫通するようになっている。・・・」（段落【００１０】）
（２）「なお、図２に示す貫通窓１６を貫通する可変表示装置７の後方突出部は、後述する透明カバー４７が描かれているが、実際には、これらを保護する入賞装置カバー２３（図５参照）が入賞玉集合カバー体２２に着脱自在に取り付けられている。この場合においては、入賞装置カバー２３も透明な合成樹脂によって形成されることが望ましい。何故なら、透明カバー４７によって覆われる画像情報作成回路基板４６に不正行為が行われているか否かが可変表示装置７を遊技盤６に取り付けたままの状態でしかも前面枠３を外枠２に対して開放した状態で極めて容易に発見できるからである。・・・」（段落【００１１】）
（３）「弾球遊技機１の概略構成は、上記した通りであるが、次に本実施例の要部を構成する可変表示装置７として使用される画像表示装置について説明する。・・・図３は、画像表示装置３０・・・の表示器３１・・・を駆動する回路の概略ブロック図である。図において、画像表示装置３０・・・の表示器３１・・・は、前記遊技制御回路基板ボックス１８に収納される遊技制御回路基板１２３（主基板と表示）からの指令に基づいて画像情報作成回路基板４６・・・（画像情報作成回路部と表示）から画像信号が導出され、その導出された画像信号を受けた画像表示制御回路３５・・・（ドライブ回路ともいう）が表示器３１・・・に所定の画像を表示するものである。したがって、表示器３１・・・に表示される画像は、一に画像情報作成回路基板４６・・・に依存するものである。・・・つまり、画像表示装置３０・・・を備えた弾球遊技機１においては、画像情報作成回路基板４６・・・を交換することにより、適正に検査を受けた画像と異なる画像でほぼ同一内容の遊技を行うことができることとなり、不正行為を簡単に行うことができる。・・・このような不正行為を防止するために、本実施例における画像表示装置３０・・・では、画像情報作成回路基板４６・・・を収納する収納カバーの一部又は全部を透明な合成樹脂で形成することにより、内部を透視できるようにした。・・・」（段落【００１３】）
（４）「まず、図４乃至図９を参照して液晶画像表示装置３０の構成について説明する。図４は、液晶画像表示装置３０の斜視図であり、図５は、液晶画像表示装置３０を遊技盤６に取り付けた状態での縦断面図であり、図６は、液晶画像表示装置３０に付設される画像情報作成回路基板４６とそれを覆う透明カバー４７との関係を示す分解斜視図であり、図７は、液晶画像表示装置３０のバックライト３３交換の様子を示す背面からの斜視図であり、図８は、液晶画像表示装置３０の分解斜視図であり、図９は、画像情報作成回路基板４６の正面概略図である。」（段落【００１４】）
（５）「図８において、液晶画像表示装置３０は、画像を表示する液晶パネルユニット３１と、該液晶パネルユニット３１がその前面に取り付けられ且つ液晶パネルユニット３１の裏面から光を照射するバックライト３３を収納する表示枠３２と、該表示枠３２の裏面に取り付けられ且つ画像表示制御回路基板３５（ドライバ回路）を収納するカバーケース４０と、該カバーケース４０の裏面に取り付けられる画像情報作成回路基板４６と、該画像情報作成回路基板４６を被覆する透明カバー４７と、から構成されている。」（段落【００１５】）
（６）「表示枠３２の裏面に突設される取付ボス３９には、画像表示制御回路基板３５が取り付けられるが、その画像表示制御回路基板３５には、その前面側に多数の電子部品が実装されていると共に、前記バックライト３３からの配線を接続するコネクタ３８と、液晶パネルユニット３１のＴＡＢ配線を接続するコネクタ３７とが実装され、その裏面には、画像情報作成回路基板４６のコネクタ６０と接続されるコネクタ３６が実装されている。」（段落【００１７】）
（７）「上記した画像表示制御回路基板３５を被覆するカバーケース４０には、その裏面に画像情報作成回路基板４６を止着するための取付ボス４１が四隅に突設されると共に、前記コネクタ３６，６０同士の接続を行うための接続穴４２、画像表示制御回路基板３５に設けられる輝度調節摘み（図示しない）をドライバー等の工具を挿入して回転させる調節穴７、及び画像情報作成回路基板４６を被覆する透明カバー４７を係止するための係合穴４４がそれぞれ適宜箇所に形成されている。」（段落【００１８】）
（８）「カバーケース４０の取付ボス４１に取り付けられる画像情報作成回路基板４６には、図９に示すように、ＶＤＰ５２、ＣＰＵ５３、キャラクタＲＯＭ５４、パレットＲＡＭ５５、ワークＲＡＭ５６、発信回路５７、ＶＲＡＭ５８の各電子部品と前記画像表示制御回路基板３５のコネクタ３６と接続するためのコネクタ６０（ＣＮ２）と、前記遊技制御回路基板ボックス１８に収納される遊技制御回路基板１２３のコネクタ１３３に接続される配線６２の先端に取り付けられるコネクタ６１と接続されるコネクタ５９（ＣＮ１）とが実装されている。そして、図示の実施例では、コネクタ６０を除く電子部品及びコネクタ５９は、次に説明する透明カバー４７に対面する側に実装されている。これは、透明カバー４７を介して画像情報作成回路基板４６上に不正な部品が実装されているか否かを極めて容易に見極めるためである。」（段落【００１９】）
（９）「カバーケース４０の裏面に着脱自在に装着される透明カバー４７は、透明な合成樹脂によって成形されるものであり、その上下前端縁には、カバーケース４０の係合穴４４に着脱し得る係止爪４８が突設されると共に、その上部中央には、ビス止め穴４９が形成され、後面一側に前記配線６２のコネクタ６１を差し込んでコネクタ５９と接続するための接続開口５０が形成されている。ビス止め穴４９は、図７に示すように、カバーケース４０の裏面上中央に穿設された止め穴４９ａに対応し、係止爪４８を係合穴４４に係合した後に、ビス止め穴４９と止め穴４９ａとを合致させてビス止めすることにより、透明カバー４７をカバーケース４０に止着するものである。・・・」（段落【００２０】）
（１０）そして、図５〜８の記載によれば、カバーケース４０がバックライト３３等が位置する表示枠３２の背部及び該表示枠３２に取り付けた画像表示制御回路基板３５の側面及び背面を覆っていること、透明カバー４７がカバーケース４０に取り付けた画像情報作成回路基板４６の側面及び背面を覆っていること、表示枠３２とカバーケース４０及び透明カバー４７が液晶パネルユニット３１及びバックライト３３等並びに画像表示制御回路基板３５及び画像情報作成回路基板４６を収容した状態で一体化されて液晶画像表示装置３０を構成していることは、何れも、自明の事項である。
　これら（１）〜（１０）の記載等を含む刊行物全体の記載及び当業者の技術常識によれば、刊行物には以下の発明が記載されているものと認められる。
　「液晶パネルユニット３１及びその裏面から光を照射するバックライト３３等、遊技制御回路基板１２３からの指令に基づいて画像信号を導出させる画像情報作成回路基板４６及び前記画像信号を受けてバックライト３３から光を照射させて液晶パネルユニット３１に所定の画像を表示させる画像表示制御回路基板３５並びに表示枠３２、カバーケース４０及び透明カバー４７を具備する液晶画像表示装置３０を備えた弾球遊技機１であって、
　前記表示枠３２、カバーケース４０及び透明カバー４７は、
　前記液晶パネルユニット３１をその前面に取り付けるとともにバックライト３３等を収納する表示枠３２と、
　前記表示枠３２のバックライト３３等が位置する部分である背部及び該表示枠３２に取り付けた画像表示制御回路基板３５の側面及び背面を覆うカバーケース４０と、
　前記カバーケース４０に取り付けた画像情報作成回路基板４６の側面及び背面を覆うとともに、透明な合成樹脂から形成された透明カバー４７とから構成され、
　前記表示枠３２とカバーケース４０及び透明カバー４７とは、前記液晶パネルユニット３１及びバックライト３３等並びに画像表示制御回路基板３５及び画像情報作成回路基板４６を収容した状態で一体化されて前記液晶画像表示装置３０を構成した弾球遊技機１。」（以下、「刊行物記載の発明」という。）
　　　　　
　　　　　
〔３〕対比・判断
（１）補正発明と刊行物記載の発明との対比
　補正発明と刊行物記載の発明とを対比すると、刊行物記載の発明の「液晶パネルユニット３１及びその裏面から光を照射するバックライト３３等」，「遊技制御回路基板１２３からの指令に基づいて画像信号を導出させる画像情報作成回路基板４６及び該画像信号を受けてバックライト３３から光を照射させて液晶パネルユニット３１に所定の画像を表示させる画像表示制御回路基板３５」，「液晶画像表示装置３０」，「弾球遊技機１」，「液晶パネルユニット３１の表面」が、補正発明の「表示装置」，「表示装置を制御する制御装置」，「表示ユニット」，「パチンコ遊技機」，「表示装置の表示部」にそれぞれ相当し、
　そして、刊行物記載の発明の「表示枠３２」と補正発明の「正面カバー」とについては、刊行物記載の発明の「表示枠３２」が「液晶パネルユニット３１をその前面に取り付けるとともにバックライト３３等を収納する」ものであることから、「液晶パネルユニット３１及びバックライト３３等」を覆うものであって、その前面の「液晶パネルユニット３１の表面」に対応する部分が開口しているものと認められるところ、補正発明の「正面カバー」が「表示装置の表示部以外の前部を覆う」とともに、「表示装置の表示部に対応して窓部が形成される」ものであるから、何れも、表示装置（液晶パネルユニット３１及びバックライト３３等）を覆うとともに、表示装置の表示部（液晶パネルユニット３１の表面）に対応して窓部が形成されるカバーである点で技術的に共通し、また、刊行物記載の発明の「カバーケース４０及び透明カバー４７」と補正発明の「背面カバー」とについては、刊行物記載の発明の「カバーケース４０」が「表示枠３２のバックライト３３等が位置する部分である背部及び該表示枠３２に取り付けた画像表示制御回路基板３５の側面及び背面を覆う」ものであり、同じく、「透明カバー４７」が「カバーケース４０に取り付けた画像情報作成回路基板４６の側面及び背面を覆うとともに、透明な合成樹脂から形成された」ものであるところ、補正発明の「背面カバー」が「表示装置及び制御装置の側面及び背面を覆うとともに、透明素材から形成された」ものであるから、何れも、制御装置（画像表示制御回路基板３５及び画像情報作成回路基板４６）の側面及び背面を覆うカバーである点で技術的に共通し、したがって、刊行物記載の発明の「表示枠３２、カバーケース４０及び透明カバー４７」が、補正発明の「表示ユニットカバー」に対応するものということができるから、
　両者は、「表示装置、該表示装置を制御する制御装置並びに該表示装置及び該制御装置を収容する表示ユニットカバーを具備する表示ユニットを備えたパチンコ遊技機であって、
　前記表示ユニットカバーは、
　前記表示装置を覆うカバーと、
　前記制御装置の側面及び背面を覆うカバーとから構成され、
　前記表示装置を覆うカバーと制御装置の側面及び背面を覆うカバーとは、前記表示装置及び制御装置を収容した状態で一体化されて前記表示ユニットを構成し、
　前記表示装置を覆うカバーには、前記表示装置の表示部に対応して窓部が形成されているパチンコ遊技機。」の点で一致し、以下の点で相違する。
＜相違点１＞
　制御装置の側面及び背面を覆うカバーに関して、補正発明が、「表示装置及び制御装置の側面及び背面を覆うとともに、透明素材から形成された」ものであるのに対して、刊行物記載の発明では、特に透明であるとの限定がない「カバーケース４０」と透明な合成樹脂（透明素材）から形成された「透明カバー４７」とからなるものであり、しかも、該「カバーケース４０」がバックライト３３等が位置する表示枠３２の背部の側面及び背面を覆っているものの、液晶パネルユニット３１及びバックライト３３等（表示装置）の側面及び背面を覆っているとはいえない点。
＜相違点２＞
　表示装置を覆うカバーに関して、補正発明が、「表示装置の表示部以外の前部を覆う正面カバー」であって、その表示装置の表示部に対応して形成された「窓部」に「透明アクリル板が配置されている」のに対して、刊行物記載の発明では、そのようにしたものか否か定かでない点。
　　　　　　
（２）各相違点についての検討
＜相違点１について＞
　背面カバーにより表示装置及び制御装置の側面及び背面を覆うようにすることは、例えば、特開平６−１２１８７２号公報に、段落【００３４】，【００３７】〜【００３９】等の記載及び図３，５〜８等の記載を参照すると、前ケース５２と後ケース６２（補正発明の背面カバーに相当或いは対応する。以下同様。）とからなるユニットケース５１内に映像表示器４４（表示装置）及び映像制御装置５０（制御装置）を組み込んだ、即ち、映像表示器４４及び映像制御装置５０の側面及び背面を後ケース６２により覆うようにした遊技機が記載され、特開平８−３２３０１６号公報に、段落【００２８】，【００２９】等の記載及び図６等の記載を参照すると、前ケース６０と後ケース６１（背面カバー）とからなる表示部ケース５９内に画像表示部５５（表示装置）及び駆動基板５５ａ（制御装置）を組み込んだ、即ち、画像表示部５５及び駆動基板５５ａの側面及び背面を後ケース６１により覆うようにした弾球遊技機が記載されているように、遊技機の技術分野において従来から周知であり、また、背面カバーを透明素材から形成することも、例えば、原審における平成１３年５月１４日付けの拒絶査定書で提示した刊行物である特開平４−３２５１７４号公報に、段落【００１３】，【００２９】，【００３６】等の記載及び図３〜５等の記載を参照すると、回路基板３０を収容する回路ボックス３１の上ケース４４（背面カバー）と下ケースとを透明な合成樹脂で形成して回路ボックス３１内部を透視可能とし、これにより、回路基板３０に加えられる不正な改変を容易に発見できるようにしたパチンコ機が記載され、同じく、特開平６−１７００５３号公報に、段落【００１３】，【００１９】，【００２０】，【００３３】，【００３４】，【００５６】，【００５８】，【００６２】等の記載及び図１，２等の記載を参照すると、各ユニット１０，２０，３０の各ユニットベース１１，２１，３１と上下カバー体５４，５５（背面カバー）とを透明合成樹脂材で形成して、各ユニット１０，２０，３０の故障、改変、異常等を外部から透視してこれに対処できるようにしたパチンコ機が記載されているように、遊技機の技術分野において従来から周知であり、そして、何よりも、原審における平成１２年９月５日付けの拒絶理由通知書で引用した刊行物である特開平６−２３１１４号公報に、段落【００１８】，【００１９】，【００２１】等の記載及び図５〜８等の記載を参照すると、可変表示装置などの電気的遊技機器４５（表示装置）及び制御回路４１（制御装置）の側面及び背面を覆うカバー体１２（背面カバー）を透明なプラスチック（透明素材）で成形して、カバー体１２を閉じた状態で内部機器の状態を監視できるようにしたパチンコ機が記載されていることから、補正発明の上記相違点１に係る事項は、部分的にも全体的にも既によく知られたものということができる。
　而して、刊行物記載の発明に上記のような周知技術を適用して、補正発明の上記相違点１に係る事項を想到することに格別の技術的困難性を認めることができず、しかも、このような周知技術を刊行物記載の発明に適用するに際しては、何れの技術も遊技機に関するものである以上、何らの阻害要因もないというべきであるから、補正発明の上記相違点１に係る事項は刊行物記載の発明及び周知技術から当業者が容易に想到しえたものといわざるをえない。
＜相違点２について＞
　正面カバーにより表示装置の表示部以外の前部を覆うようにすることは、例えば、上記特開平８−３２３０１６号公報に、図６等の記載を参照すると、画像表示部５５（表示装置）の表示部以外の前部を覆う前ケース６０（正面カバー）を有する弾球遊技機が記載され、上記特開平６−１２１８７２号公報に、段落【００３４】，【００３５】，【００４９】等の記載及び図５〜７等の記載を参照すると、映像表示器４４（表示装置）の映像表示パネル４６（表示部）以外の前部を覆う前ケース５２（正面カバー）を有する遊技機が記載され、特開平６−２９６７３９号公報に、段落【００１５】，【００１６】等の記載及び図４等の記載を参照すると、液晶表示パネル１６（表示装置）の表示部以外の前部を覆うアルミニューム製のラミネート薄板６４（正面カバー）を有する遊技装置が記載されているように、遊技機の技術分野において従来から周知であり、また、表示装置の表示部に対応して形成された正面カバーの窓部に透明合成樹脂板を配置することも、例えば、上記特開平６−１２１８７２号公報に、段落【００３５】，【００４９】，【０１８１】等の記載及び図５〜７等の記載を参照すると、映像表示器４４（表示装置）の映像表示パネル４６（表示部）に対応して形成された前ケース５２（正面カバー）の窓部に樹脂製クリアプレート５３を設けて、搬送時や組付時における映像表示パネル４６の破損を防止するようにした遊技機が記載され、上記特開平６−２９６７３９号公報に、段落【００１５】，【００１６】等の記載及び図４等の記載を参照すると、液晶表示パネル１６（表示装置）の表示部に対応して形成されたアルミニューム製のラミネート薄板６４（正面カバー）の窓部に透明プラスチック製の保護カバー６６を設けて、パチンコ玉の衝突による衝撃から液晶表示パネル１６を保護するようにした遊技装置が記載されているように、遊技機の技術分野において従来から周知であり、さらに、窓部に透明アクリル板を配置することも、例えば、特開平６−２９６７４５号公報に、段落【０００６】，【０００７】等の記載及び図１等の記載を参照すると、枠体６内（窓部）にアクリル板等の透明板５（透明アクリル板）を嵌め込んだ遊技機が記載され、特開平８−２８９９６０号公報に、段落【００１３】，【００２５】等の記載及び図２，４，６等の記載を参照すると、ケース１の開口１ａ（窓部）にアクリル樹脂の成形品であるレンズ板１７（透明アクリル板）を設けたパチンコ遊技機が記載され、特開平７−１８５０７４号公報に、段落【００２１】〜【００２５】，【００３３】，【００３４】等の記載及び図１，２の記載を参照すると、遊技機の枠１における可変表示部２に対応する窓部に透光性のプラスチック板やアクリル板等からなる遊技基盤３（透明アクリル板）を設けた遊技機が記載されているように、遊技機の技術分野において従来から周知であるから、補正発明の上記相違点２に係る事項は部分的に既によく知られたものということができる。
　而して、刊行物記載の発明に上記のような周知技術を適用して、補正発明の上記相違点２に係る事項を想到することに格別の技術的困難性を認めることができず、しかも、周知技術の刊行物記載の発明への適用については、何れの技術も遊技機に関するものである以上、何らの阻害要因もないというべきであるから、補正発明の上記相違点２に係る事項は刊行物記載の発明及び周知技術から当業者が容易に想到しえたものといわざるをえない。
　　　　　
（３）作用効果・判断
　そして、補正発明によって奏する効果も、刊行物記載の発明及び周知技術から普通に予測できる範囲内のものであって、格別なものがあるとは認められないから、補正発明は、刊行物記載の発明及び周知技術に基づき当業者が容易に発明をすることができたものといわざるをえない。
　　　　　
　　　　　
〔４〕むすび
　したがって、補正発明は、刊行物記載の発明及び周知技術に基づき当業者が容易に発明できたものであるから、特許法第２９条第２項の規定により、その特許出願の際独立して特許を受けることができないものである。
　以上のように、本件補正は、平成１５年改正前特許法第１７条の２第５項の規定において準用する同法第１２６条第４項の規定に適合しないものであるから、同法第１５９条第１項の規定において読み替えて準用する同法第５３条第１項の規定により却下すべきものである。
　よって、上記［補正の却下の決定の結論］のとおり、決定する。
　　　　　
　　　　　
【３】本願発明について
〔１〕本願発明
　本願の請求項１，２に係る発明は、平成１３年７月１８日付け手続補正が上記のとおり却下されたので、平成１２年１１月１０日付け手続補正書により補正された明細書及び図面の記載からみて、その特許請求の範囲の請求項１，２に記載された事項により特定される以下のとおりのものと認める。
　「【請求項１】表示装置、該表示装置を制御する制御装置並びに該表示装置及び該制御装置を収容する表示ユニットカバーを具備する表示ユニットを備えたパチンコ遊技機であって、
　前記表示ユニットカバーは、
　前記表示装置の表示部以外の前部を覆う正面カバーと、
　前記表示装置及び制御装置の側面及び背面を覆うとともに、透明素材から形成された背面カバーとから構成され、
　前記正面カバーと背面カバーとは、前記表示装置及び制御装置を収容した状態で一体化されて前記表示ユニットを構成することを特徴とするパチンコ遊技機。
　【請求項２】（記載を省略する。）」（請求項１に係る発明を、以下、「本願発明」という。）
　　　　　
　　　　　
〔２〕引用刊行物等とそれらに記載された事項
　これに対し、原審における平成１２年９月５日付けの拒絶理由通知書で引用し、本願出願前に日本国内において頒布された刊行物の記載事項は、上記【２】〔２〕に記載したとおりである。
　　　　　
　　　　　
〔３〕対比・判断
　本願発明は、上記【２】で検討した補正発明における「正面カバー」についての限定事項である「前記正面カバーには、前記表示装置の表示部に対応して窓部が形成されるとともに、その窓部には透明アクリル板が配置されている」との点を削除したものである。
　そうすると、本願発明の技術事項を全て含み、かつ、上記「正面カバー」について減縮した補正発明が上記【２】〔３〕に記載したとおり、刊行物記載の発明及び周知技術に基づき当業者が容易に発明をすることができたものといわざるをえないものであることから、本願発明も、同様の理由により、刊行物記載の発明及び周知技術に基づき当業者が容易に発明をすることができたものであって、特許法第２９条第２項の規定により特許を受けることができないものであり、本願の他の請求項について検討するまでもなく、本願は拒絶すべきものである。
　よって、結論のとおり審決する。